(57)【要約】【課題】厚紙を主材料として、保冷性及び耐水性に優れた保冷梱包体及びトレーを構成する。【解決手段】厚紙製の外箱１、トレー２及び内箱３と桁材４とから成り、トレー２を上広がりの形状として外箱１の底部に挿入し、トレー２の底壁上に桁材４を置き、桁材４の上に物品を収納した内箱３を載せて、内箱３をトレー２から浮き上がらせ、内箱３と外箱１の周壁間に空間が形成されるようにする。内箱３と外箱１の周壁間に確保された空気層により優れた保冷性が得られ、氷が溶けて内箱３から滴り落ちる水がトレー２で受け止められるので、外箱１の底部が濡れることがなく、トレー２から内箱３が浮き上がっているので、内箱３の底部がトレー２に溜まった水に漬かることもない。【選択図】  図１
2004196315.tif 000002
【特許請求の範囲】
【請求項１】
厚紙製の外箱１、トレー２及び内箱３と桁材４とから成り、トレー２を上広がりの形状として外箱１の底部に挿入し、トレー２の底壁上に桁材４を置き、桁材４の上に物品を収納した内箱３を載せ、内箱３をトレー２から浮き上がらせると共に、内箱３と外箱１の周壁間に空間が形成されるようにした保冷用梱包体。
【請求項２】
請求項１に記載の保冷用梱包体において、外箱１の内フラップ１３と外フラップ１４の側縁基部の間隔を詰めて、外箱１の角部に隙間ができないようにした保冷用梱包体。
【請求項３】
底壁２１の周囲に各一対の端壁２２及び側壁２３を立設し、隣接する端壁２２と側壁２３の側縁同士をコーナー片２４で繋ぎ、このコーナー片２４を外側で二つ折りにして端壁２２の外面に沿わせ、端壁２２の上縁から延びる外端板２６をコーナー片２４に被さるように折り返し、外端板２６の先端両側部に切込により形成した差込片２７を端壁２２の外面とコーナー片２４の間に差し込み、外端板２６の端部と差込片２７とでコーナー片２４を挟み込むようにした厚紙製トレー。
【発明の詳細な説明】
【０００１】
【発明の属する技術分野】
この発明は、氷詰めした野菜等の輸送に使用する保冷梱包体及びトレーに関するものである。
【０００２】
【従来の技術】
一般に、ブロッコリー等の高温に弱い野菜を輸送する際には、野菜を段ボール箱に氷詰めし、その段ボール箱を発泡スチロール製の身と蓋とから成る保冷ケースに入れ、この保冷ケースにより段ボール箱内の野菜を低温に保つと共に、氷が溶けて段ボール箱から滴り落ちる水を受け止めるようにしている。
【０００３】
【発明が解決しようとする課題】
しかしながら、上記のように発泡スチロール製の保冷ケースを使用した梱包では、保冷ケースの保管に大きなスペースを要し、使用後の保冷ケースを廃棄すると、環境に悪影響を及ぼす恐れがある。
【０００４】
そこで、この発明は、扁平なシート材から組み立てられ、解体が容易で焼却処分が可能な厚紙を主材料として、保冷性及び耐水性に優れた保冷梱包体及びトレーを構成しようとするものである。
【０００５】
【課題を解決するための手段】
上記課題を解決するため、この発明に係る保冷梱包体は、厚紙製の外箱、トレー及び内箱と桁材とから成り、トレーを上広がりの形状として外箱の底部に挿入し、トレーの底壁上に桁材を置き、桁材の上に氷詰め野菜等の物品を収納した内箱を載せ、内箱をトレーから浮き上がらせると共に、内箱と外箱の周壁間に空間が形成されるようにしたのである。
【０００６】
このような梱包体では、内箱と外箱の周壁間に確保された空気層により優れた保冷性が得られ、氷が溶けて内箱から滴り落ちる水がトレーで受け止められるので、外箱の底部が濡れることがなく、内箱が浮き上がるように支持されるので、内箱の底部がトレーに溜まった水に漬かることもない。
【０００７】
また、内箱を外箱へ挿入する際、内箱がトレーの周壁で位置決めされるので、梱包作業を容易に行うことができる。
【０００８】
さらに、外箱の内フラップと外フラップの側縁基部の間隔を詰めて、外箱の角部に隙間ができないようにすると、保冷性が向上する。
【０００９】
なお、上記トレーは、底壁の周囲に立設した端壁と側壁の側縁同士をコーナー片で繋ぎ、コーナー片を外側で二つ折りにして端壁の外面に沿わせ、端壁の上縁から延びる外端板をコーナー片に被さるように折り返し、外端板の先端両側部に切込により形成した差込片を端壁の外面とコーナー片の間に差し込み、外端板の端部と差込片とでコーナー片を挟み込むように構成すると、扁平な状態から簡単に組み立てられ、その組立形状が保持される。
【００１０】
【発明の実施の形態】
以下、この発明の実施の形態を添付図面に基づいて説明する。
【００１１】
この保冷梱包体は、図１及び図２に示すように、段ボール製の外箱１、トレー２及び内箱３と、発泡スチロール製の桁材４とから成り、外箱１の底部に上広がりのトレー２を挿入し、トレー２の底壁上に桁材４を置き、桁材４の上に氷詰め野菜等の物品を収納した内箱３を載せ、内箱３をトレー２から浮き上がらせると共に、内箱２と外箱１の周壁間に空間を形成したものとされている。
【００１２】
前記外箱１は、各一対の端壁１１及び側壁１２から周壁を形成し、端壁１１の下縁及び上縁から内フラップ１３を、側壁１２の下縁及び上縁から外フラップ１４をそれぞれ延出し、内フラップ１３に外フラップ１４を重ね合わせて底面及び天面を閉止する構成となっている。
【００１３】
ここで、図３に示すように、外箱１のブランク状態において、隣接する内フラップ１３と外フラップ１４の側縁には、スロット部１５の基端側に切目だけを入れて突出部１６が形成されている。このため、外箱１を封緘すると、図４に示すように、その角部に隙間ができず、外箱１の内部から冷気の放散が防止される。
【００１４】
また、前記トレー２は、防水樹脂ライナーを用いた段ボールを材料として、図５に示すようなブランクから組み立てられる。このブランクでは、底壁２１の周囲に各一対の端壁２２及び側壁２３が連設され、端壁２２と側壁２３の側縁同士が中央に折目を有するコーナー片２４で繋がれている。
【００１５】
前記端壁２２の先端縁には、頂板２５を介して外端板２６が連設され、この外端板２６の先端両側部には、切込により差込片２７が形成されている。また、側壁２３の先端縁には外側板２８が連設されている。
【００１６】
このブランクは、図６及び図７に示すように、コーナー片２４を外側で二つ折りにして端壁２２の外面に沿わせ、頂板２５を外方へ折り曲げて、外端板２６をコーナー片２４に被さるように折り返し、差込片２７を端壁２２の外面とコーナー片２４の間に差し込み、外端板２６の端部と差込片２７とでコーナー片２４を挟み込むと共に、外側板２８を外側へ折り返して組み立てる。
【００１７】
また、前記内箱３は、図１に示すように、各一対の端壁３１及び側壁３２から周壁を形成し、端壁３１の下縁及び上縁から内フラップ３３を、側壁３２の下縁及び上縁から外フラップ３４をそれぞれ延出して重ね合わせ、その全面に耐水性を高めるためワックスを塗布したものとされている。
【００１８】
上記のような梱包体では、図２に示すように、内箱３と外箱１の周壁間に確保された空気層により優れた保冷性が得られ、氷が溶けて内箱３から滴り落ちる水がトレー２で受け止められるので、外箱１の底部が濡れることがなく、トレー２から内箱３が浮き上がっているので、内箱３の底部がトレー２に溜まった水に漬かることもない。
【００１９】
また、トレー２は、扁平な状態から簡単に組み立てられ、その組立形状が保持されるので、外箱１へ容易に挿入でき、内箱３を外箱１へ挿入する際、内箱３がトレー２の周壁で位置決めされるので、梱包作業を容易に行うことができる。
【００２０】
【発明の効果】
以上のように、この発明に係る梱包体では、内箱と外箱の周壁間に確保された空気層により優れた保冷性が得られると共に、氷が溶けて内箱から滴り落ちる水がトレーで受け止められるので、外箱の底部が濡れることがなく、外箱の強度が維持され、内箱が浮き上がるように支持されるので、内箱の底部がトレーに溜まった水に漬かることもなく、野菜等の傷みが防止される。
【００２１】
また、トレーは、扁平な状態から簡単に組み立てられ、その組立形状が保持されるので、外箱へ容易に挿入でき、内箱を外箱へ挿入する際、内箱がトレーの周壁で位置決めされるので、梱包作業を容易に行うことができる。
【００２２】
さらに、外箱の内フラップと外フラップの側縁基部の間隔を詰めて、外箱の角部に隙間ができないようにすると、保冷性が向上する。
【図面の簡単な説明】
【図１】この発明に係る保冷梱包体の分解斜視図
【図２】同上の保冷梱包体の縦断側面図
【図３】同上の外箱のブランクの部分拡大図
【図４】同上の外箱の封緘状態の部分拡大斜視図
【図５】同上のトレーのブランクを示す図
【図６】同上のトレーの組立過程の部分拡大斜視図
【図７】同上のトレーの組立状態の部分拡大斜視図
【符号の説明】
１  外箱
２  トレー
３  内箱
４  桁材
１３  内フラップ
１４  外フラップ
２１  底壁
２２  端壁
２３  側壁
２４  コーナー片
２６  外端板
２７  差込片
【図１】
2004196315.tif 000003
【図２】
2004196315.tif 000004
【図３】
2004196315.tif 000005
【図４】
2004196315.tif 000006
【図５】
2004196315.tif 000007
【図６】
2004196315.tif 000008
【図７】
2004196315.tif 000009